(57)【要約】      （修正有） 【課題】潰れ易い食品を水平に保ち、形状を変えることなく、保護し運ぶことができる買物袋を提供する。【解決手段】買物袋本体内に、潰れ易い食品を入れるための引き出しを有する収納箱を収容し、買物袋本体の一側部にファスナーによって開け閉め可能な開閉蓋を設ける。潰れ易い食品を開閉蓋を開放して引き出し内に収納することができる。【選択図】図２
0003153943.tif 000002
【実用新案登録請求の範囲】
【請求項１】
買物袋本体と、前記買物袋本体の底部のほぼ全面を覆うように設けられた底板と、前記底板上に載置可能で前記買物袋本体の前記底部とほぼ同一の幅と前記底部のほぼ２／３の長さとを有し一面に開口部を有する収納箱とを備えていて、前記買物袋の一側部に設けられ、前記収納箱に前記開口部を介して収納する物品の出し入れを可能にするための開閉蓋を備えていることを特徴とする買い物袋。
【考案の詳細な説明】
【技術分野】
【０００１】
本考案は買物袋の中で押しつぶされてしまう食品を目的地まで変形すること無く保護して運ぶことが出来る買物袋に関するものである。
【背景技術】
【０００２】
従来、買い物袋は柔らかく潰れやすい食品、和菓子、総菜、寿司等を収納することが出来なかった。買物してからすぐ目的地にいくか、あるいはすぐに帰宅すればくずれることも無いが、買物の後ほかのところに回ることも多く、その間それらの食品は固い物と買物袋の中で一緒になりくずれることになり易い。そしてたとえタッパーのようなケースに潰れそうな食品を入れてもバッグの中では縦になったり斜めになって中で形状が変形しやすい。買い物袋の底にタッパーを置ければ安定し、水平になり、食品が傷んだり変形することを防げるが、買物の途中では既に他の食品などが入っており、タッパーを買物袋の底に置くのは難しい。そこでなるべく潰れないようにするため、通常潰れ易い食品の入った幾つものポリ袋を買物袋と別に持つことになる。これは持ちづらく、外出している間ずっと気になり煩わしいことである。
【先行技術文献】
【特許文献】
【０００３】
この問題を解決するために買い物袋が上部と下部に分かれていてファスナーで開閉し物の出し入れをするのが出来るものがある（特許文献１参照）。また手下げ角低袋の内底全体に積み重ね可能な複数枚の平皿を配置し各平皿に食品を適宜区分けしながら収納出来るようにしたものがある（たとえば特許文献２参照）    
【０００４】
【特許文献１】実用新案登録第３１４６６４４号  公報
【特許文献２】実開平６１１２８号  公報
【考案の概要】
【考案が解決しようとする課題】
【０００５】
しかしながら、上記特許文献１に示されたものは実用面で欠点がある。テーブルや台の上にバッグを載せ、ファスナーの開け閉めをすることになる。さらに上部を倒しながら物を入れることになるが、片手では出来ない。肩に掛けたとしても買物の途中でファスナーを開けると上と下が開いてしまい中に入っている物がこぼれてしまう。それに、実際の買物の途中で開け閉めの出来る場所はどこにでもあるわけではない。
また、特許文献２に示されたものは買ったものを収納する度に積み重ねられた平皿をそのつど取り出さなければならない。日常の買物は丈の長い物、たとえば大根、フランスパン、ワイン、のほかにその他の果物、野菜等、多種多様の品を収納することが多いので、出し入れが煩わしくなる。従って必然的に他の買物袋も持たなければならない。毎日の買物はなるべく１つの袋で済ませたい。
【課題を解決するための手段】
【０００６】
本考案は上記問題を解決するため、買物袋の本体の一側部にファスナーによって開け閉め可能な開閉蓋を設け、その中に潰れ易い食品を入れる引き出し等を納める圧力に耐えられる頑丈な収納箱を設ける。
この収納箱の幅は買物袋本体の底部ほぼ同じ幅を有し、奥行すなわち長さは底部のほぼ２／３に設計されている。
【考案の効果】
【０００７】
この考案は食品のくずれを防ぐ他多様な使い方ができる。縦にしたくない裁縫道具、化粧品、美術道具等も収納箱に入れれば水平に保つことが出来る。其々の物が擦れたりせず傷みは最少限に抑えられる。買物袋に引き出しの入れられる収納箱を設けるだけで、買物の間それらに気をとらわれることなく安心していられる。そして買物袋本体のうち、収納箱のないスペースが出来るので丈の高い品物を入れられる。潰れ易い食品を収納箱に納めれば収納箱の外のところに入れた物と接触せず形がくずれることが防げるので、買物の途中で気を遣わず安心していられる。引出しは買物袋本体の外に引き出せるため、洗うことが出来て清潔さを保てる。
【図面の簡単な説明】
【０００８】
【図１】本考案の買物袋の一実施例を示すファスナーを閉じた状態を示す斜視図である。
【図２】本考案の買物袋の一実施例を示すファスナーを開けた状態を示す斜視図である。
【図３】本考案の買物袋に食品を収納した状態を示す斜視図である。
【考案を実施するための最良の形態】
【０００９】
買物袋本体の底部の一部分には買物袋本体の高さよりも低い収納箱が設けられていて、収納箱には潰れ易い食品を入れられる複数段の引き出しが収められている。買物袋本体の一側部に設けたファスナーにより開閉できる開閉蓋の開閉により、収納箱に収められた引き出しは収脱自在である。収納箱の上には特に潰れる可能性のない小物を入れ、収納箱の置かれてないスペ−スには丈の長い物を縦にいれる。
【００１０】
以下、添付図面を参照して本考案の一実施例を説明する。
１は買物袋で、この買物袋１は通常の布、ナイロンなどの比較的耐久性のある材料で形成された買物袋本体２と、この買物袋本体２の底部３に設けられた収納箱４と、買物袋本体２の上端部近傍に固定された取っ手５と、買物袋本体２の底部３の全面を覆うように設けられた剛性のある底板６とから構成されている。
買物袋本体２の一側面２−１には、図に示すように開閉蓋７が、３辺にファスナー８が設けられ残りの一辺で買物袋本体２と繋がるように設けられている。開閉蓋７はこのように構成されているので、買い物途中で取っ手５を肩から提げた状態ででもファスナー８を操作して開閉蓋７を開放することができ収納箱４を露出させることができる。
【００１１】
収納箱４は買物袋本体２の底部のほぼ全面を覆う底板６の幅とほぼ同一の幅を有し、その高さは、開閉蓋７によって形成される買物袋本体２の一側面２−１の開口とほぼ同じ大きさであって、かつ、収納箱４の奥行きは、底板６の長さのほぼ２／３に形成されている。そして、収納箱４には、図２に示すように、開口部９が設けられていて、引き出し４−１と引き出し４−２とが出し入れ可能に収容されている。
底板６は、買物袋本体の型崩れを防止するために剛性を有する保形性の材料で形成されている。収納箱４は開閉蓋７を開放してそこから買物袋本体内に収容してもよいし、買物袋本体２の上方から収容してもよい。また、収納箱４のは、高さは買物袋本体２のほぼ２／５程度にすると収納箱４の上方に形成される空間に買物を収容することができるが、これに限定されるものではない。
【００１２】
次に本考案買物袋の使用方法について説明する。
日常の主婦の買い物において、厚揚げ、経木に包まれた団子、箱に収容されていない和菓子、菓子パン、コロッケ、豆腐、弁当、など形の崩れやすいものは、買物袋１を台の上に載置するか、取っ手５を肩にかけたままで、買物袋本体２のファスナー８を開放して開閉蓋７を開け引出４−１または４−２を引き出してその中に収納する。このようにすることによって、形の崩れやすいものを収容した後買った後で、他の店へ出向いて買い物をする場合も形が崩れる心配をしなくてよい。
【００１３】
なお、形が崩れる心配のないものは、図３に示すように、米１０、缶ジュース１１、キャベツ１２、レンコン１３、などの小物は収納箱４の上に、ダイコン１４、しょうゆボトル１５などの丈の長いものは収納箱４の置かれていないスペースに収納する。
【００１４】
なお、剛性のある底板６の収納箱４がない部分の買物袋本体２には、３方の側面に例えば底板６と同一の剛性のある材料で形成された補強板（図示せず）を設けると、買物袋本体２の形が崩れることはなく見た目も奇麗なものとなる。また、収納箱４には引出４−１、４−２を設けたものについて述べたが、引き出し４−１、４−２はなくとも例えば積み重ね式のタッパーウェアなどを収納してもよい。
【符号の説明】
【００１５】
１  買物袋
２  買物袋本体
２−１  一側面
３  底部
４  収納箱
４−１、４−２  引出し
５  取っ手
６  底板
７  開閉蓋  
８  ファスナー
９  開口部
【図１】
0003153943.tif 000003
【図２】
0003153943.tif 000004
【図３】
0003153943.tif 000005